(57)【特許請求の範囲】
【請求項１】
内装壁を構成する壁板の前面側に固定されるフックケーシングと、下端側において水平回転軸によりフックケーシングに起立倒伏自在に枢支されるフックと、フックケーシング内に設けられフックを倒伏方向に付勢する付勢手段と、フックケーシング内に設けられフックの回転を抑制するようにフックに結合される回転軸を有する回転ダンパとを具備し、
前記フックケーシングは、前記壁板に形成される取り付け開口に前後方向に嵌挿される嵌挿部と、この嵌挿部の前端部外周に形成され装着時に壁板の前面に当接する鍔部とを具備し、
前記フックケーシングの嵌挿部に前後方向に挿入され、フックケーシングの前面側から回転操作可能な操作ねじと、
この操作ねじに螺合し、前記取り付け開口への挿入を妨げることなく前記嵌挿部に収容される一方、操作ねじの締め込み回転と共回りして嵌挿部の両側方へ突出し、この突出状態で嵌挿部により回り止めされて操作ねじの締め込み回転により操作ねじ上を相対移動し、前記鍔部との間に前記壁板を挟持するラッチ部材と、を具備することを特徴とするハンガーフック。
【請求項２】
前記ラッチ部材に、前記操作ねじと共回りさせるための接触抵抗を付与する軸線方向に付勢する押しばねを具備することを特徴とする請求項１に記載のハンガーフック。
【請求項３】
前記フックケーシングの嵌挿部の両側部には、前記ラッチ部材をそれぞれ突出させラッチ部材を回り止めする出入り開口を具備することを特徴とする請求項１又は２に記載のハンガーフック。
【請求項４】
前記両出入り開口の上下縁の一方には、互い違いに突出して前記ラッチ部材を収容位置に位置決めする回り止め凸部がそれぞれ形成されていることを特徴とする請求項３に記載のハンガーフック。
【発明の詳細な説明】
【技術分野】
【０００１】
本発明は、車両や建物の内装壁等を構成する壁板に固定されるハンガーフックに関し、常時は壁面に対して倒伏した状態にあるフックを使用時に起立させることができるハンガーフックに係るものである。
【背景技術】
【０００２】
従来、ハンガーフックとして特許文献１に記載されたものが知られている。このハンガーフックは、フックとフックを倒伏状態で収納するケーシングとを備え、フックをケーシングから起立させることによって、フックに衣服等を掛けることができるように構成される。フックには、ケーシング側へ倒伏する方向、すなわちケーシングに収納される方向に付勢するばねが係止される。フックの回転軸には、セクタ歯車が形成され、ケーシングには、セクタ歯車にかみ合う制動歯車を有する回転ダンパが取り付けられる。回転ダンパは、ケーシング側に倒伏しようとするフックの回転を抑制し、倒伏までの時間を引き延ばすことにより、使用者に動作の時間的余裕を与え、フックに衣服等を掛けやすくする。
また、特許文献２には、上記ハンガーフックにおいて、フックがケーシングに対して大きく回転したとき、セクタ歯車がケーシングから露出する危惧を利用者に与える問題点を解決し、フックの使用時に歯車が露出することがないハンガーフックが提案されている。
【先行技術文献】
【特許文献】
【０００３】
【特許文献１】特開2005-245554号公報
【特許文献２】特開2010-17482号公報
【発明の概要】
【発明が解決しようとする課題】
【０００４】
上記従来のハンガーフックにおいては、フックケーシングの底面にビスをねじ込んで建造物に直接的に、又は取付ブラケットを介して間接的に取り付けられる。
本発明は、構造物に直接又は間接的にビスをねじ込むことなく、内装壁等を構成する壁板に前側から確実に固定することができるハンガーフックを提供することを目的としている。
【課題を解決するための手段】
【０００５】
上記課題を解決するため、本発明のハンガーフック１は、壁板Ｐに固定されるフックケーシング２と、下端側において水平回転軸４によりフックケーシング２に起立倒伏自在に枢支されるフック３と、フックケーシング２内に設けられフック３を倒伏方向に付勢する付勢手段５と、フックケーシング２内に設けられフック３の回転を抑制するようにフック３に結合される回転軸７を有する回転ダンパ６とを具備する。フックケーシング２は、壁板Ｐに形成される取り付け開口Ｐ１に前後方向に嵌挿される嵌挿部１０と、この嵌挿部１０の前端部外周に形成され装着時に壁板Ｐの前面に当接する鍔部１１とを具備する。フックケーシング２の嵌挿部１０に前後方向に操作ねじ３３を挿入し、フックケーシング２の前面側から回転操作可能とする。この操作ねじ３３にラッチ部材３２を螺合し、取り付け開口への挿入を妨げることなく嵌挿部１０に収容する。ラッチ部材３２は、操作ねじの締め込み回転と共回りして嵌挿部１０の両側方へ突出し、この突出状態で嵌挿部により回り止めされる。この突出状態で操作ねじ３３を締め込み回転すると、ラッチ部材３２は操作ねじ３３上を相対移動し、鍔部１０との間に壁板Ｐを挟持する。
ラッチ部材３２を操作ねじ３３と共回りさせるための接触抵抗を付与する軸線方向に付勢する押しばね３４を設ける。
フックケーシング２の嵌挿部１０の両側部には、ラッチ部材３２を突出させて回り止めする出入り開口２３を設ける。
両出入り開口２３の上下縁の一方には、互い違いに突出してラッチ部材３２を収容位置に位置決めする回り止め凸部２４がそれぞれ形成される。
【発明の効果】
【０００６】
本発明のハンガーフック１においては、フックケーシング２を壁板Ｐの取り付け開口Ｐ１に嵌挿させて鍔部１１を壁板Ｐの表面に当接させ、操作ねじ３３の回転操作によりラッチ部材３２を壁板Ｐの裏面に押し当てて、フックケーシング２の鍔部１１とラッチ部材３２との間で壁板Ｐを挟持するので、壁板Ｐの前方から簡単に確実に取り付けることができる。
【図面の簡単な説明】
【０００７】
【図１】本発明に係るハンガーフックの正面図である。
【図２】図１のハンガーフックの側面図である。
【図３】図１のハンガーフックの背面図である。
【図４】図１のハンガーフックの縦断面図である。
【図５Ａ】ラッチ部材を収容した状態の図４のＶ−Ｖ断面図である。
【図５Ｂ】ラッチ部材が突出した状態の図４のＶ−Ｖ断面図である。
【図５Ｃ】ラッチ部材が前進した状態の図４のＶ−Ｖ断面図である。
【図６】図４のＶＩ−ＶＩ断面図である。
【図７】図１のハンガーフックの分解斜視図である。
【発明を実施するための形態】
【０００８】
図面を参照して本発明の実施の形態を説明する。
図１ないし図７に示すように、ハンガーフック１は、壁板Ｐに固定される縦長のフックケーシング２と、下端側において水平回転軸４によりフックケーシング２に起立倒伏自在に枢支されるフック３と、フックケーシング２内に設けられフック３を倒伏方向に付勢する付勢手段であるコイルばね５と、フックケーシング２内に設けられフック３の回転を抑制するようにフック３に結合される回転軸７を有する回転ダンパ６とを具備する。回転ダンパ６の回転軸７は、フック３の水平回転軸４と同軸線上に配置され、かつ歯車８を具備する。フック３は、その回転に応じて回転ダンパ６の回転軸７を回転させるように歯車８に噛み合う係合歯部９を具備する。
【０００９】
フックケーシング２は、壁板Ｐに形成される取り付け開口Ｐ１に前後方向に嵌挿される嵌挿部１０と、この嵌挿部１０の前端部外周に形成される鍔部１１と、鍔部１１に連続してその前部に設けられる包囲壁部１２とを具備する。鍔部１１は、壁板Ｐへの装着時に取り付け開口Ｐ１の周縁の前面に当接する。嵌挿部１０は、左右両側面に出入り開口２３を具備する。
【００１０】
フックケーシング２は、互いに前後方向に突き合わせて結合される後方のケーシング本体１４と、前方のケーシングカバー１５とで構成される。
【００１１】
ケーシング本体１４は、壁板Ｐと平行に配置される底板部１６と、この底板部１６の周囲から直角に前方へ起立する側板部１７とを具備する。底板部１６の下部前面側に、回転ダンパ６を保持する嵌合凹部１８と、ばね受け突起１９が形成される。側板部１７の下部の前縁には、フック３の水平回転軸４を受ける円弧状の軸受け凹部２０が形成される。
【００１２】
ケーシング本体１４の上部には、ラッチ部材３２を前後方向の軸線回りに回転可能に収容する収容凹部２１が形成される。収容凹部２１の後部は、操作ねじ３５を貫通させる貫通孔２２によって底板部１２の後面側へ開放している。収容凹部２１は、出入り開口２３により両側方へ開放している。両出入り開口２３の上下縁の一方には、互い違いに突出する回り止め凸部２４が形成されている。
【００１３】
ケーシングカバー１５は、ケーシング本体１４の側板部１７に突き合わされる対応側板部２５と、底板部１６に対向する前面板部２６と、前面板部２６の下部において前後に貫通する開口部２７とを具備する。側板部２５の前方は、壁板Ｐの前面に当接する鍔部１１を介して包囲壁部１２に連続する。包囲壁部１２は、前方へ膨出してフック３の外周を包囲する。包囲壁部１２は、フック３の上端部に対応する位置において鍔部１１に終結しており、この終結端部２８によって、倒伏状態にあるフック３の上端部が露出するようになっている。側板部２５の下部後縁には、ケーシング本体１４の軸受け凹部１６に対向してフック３の水平回転軸４を受ける円弧状の軸受け凹部２９が形成される。
【００１４】
ケーシングカバー１５の前面板部２６の後面側中央部には、ケーシング本体１４の貫通孔２２に対向する位置にねじ受け座部３０が形成される。ねじ受け座部３０と側板部２５との間には、ラッチ部材３２の押し当て部３２ｂを受け入れる円弧状の受け溝３１が形成される。受け溝３１の開放端は、左右側面に上下互い違いに開放し、出入り開口２３に連続する一方、閉塞端部は回り止め凸部２４に連続する。
【００１５】
ラッチ部材３２は、フックケーシング２の鍔部１１との間で壁板Ｐを挟持するもので、ラッチ部材３２は略コ字状に屈曲した鋼板材で構成され、中間部に前後方向に貫通するナット部３２ａと、長手方向両端部に前方へ直角に屈曲した押し当て部３２ｂとを具備する。ナット部３２ａには、ねじ受け座部３０及び貫通孔２２を前後方向に貫通する操作ねじ３３が螺合する。操作ねじ３３は、ねじ受け座部３０にフック３を起立させた状態で前方に露出する位置に設けられる。操作ねじ３３は、フックケーシング２の前面側から回転操作することにより、ラッチ部材３２を収容凹部２１及び受け溝３１に収納された収納位置と押し当て部３２ｂを出入り開口２３を通して突出させた突出位置との間で回転駆動すると共に、押し当て部３２ｂを突出させた状態でさらに前後に移動させる。ラッチ部材３２の前後方向の位置により、鍔部１１との間で挟持する壁板Ｐの所定範囲の厚さ寸法に対応できる。操作ねじ３３は、六角レンチで回転操作できる六角穴にキャップ３５が嵌合して塞がれる。操作ねじ３３周りには、ラッチ部材３２とねじ受け座部３０の間の圧縮保持される押しばね３４を備える。押しばね３４は、ラッチ部材３２を前後方向に付勢することにより操作ねじ３３との接触抵抗を増し、ラッチ部材３２を操作ねじ３３と共回りさせて収納位置及び突出位置に配置する。
【００１６】
フック３は、フックケーシング２の包囲壁部１２の内側に沿うように上下方向に延び、倒伏状態において包囲壁部１２の内側に収納される。フック３は、下端側において、ケーシングカバー１５の開口部２７からケーシング本体１４に向かって突出する枢支部３６を具備する。枢支部３６は、ケーシングカバー１５の側板部２５と、ケーシング本体１４の側板部１７の内側面に沿う左右の側板部３７を有する。左右の側板部３７の外側面に、水平回転軸４が突設され、一方の側板部３７の内側面に係合歯部９が形成される。フック３の下端部には、後方へ突出してフックケーシング２のばね受け突起１９に対向するばね受け突起３８が形成される。両ばね受け突起１９，３８間に、フック３を倒伏方向に付勢するコイルばね５が介設される。
【００１７】
図６に示すように、回転ダンパ６は、回転軸７の回転を抑制する制動機構を内蔵するダンパケーシング３９を具備し、回転軸７を外方へ突出させる。ダンパケーシング３９は、ケーシング本体１４の底板部１６に形成された嵌合凹部１８に前後方向に嵌合され、フックケーシング２内に起立保持される。回転軸７に固着された歯車８の前面側に、倒伏状態におけるフック３の係合歯部９が噛み合うように配置される。
【００１８】
ハンガーフック１を壁板Ｐに取り付ける場合には、予め壁板Ｐに形成されている取り付け孔Ｐ１にフックケーシング２の嵌挿部１０を挿入し、フック３を起立させた状態で、前方から操作ねじ３３を締め込む方向に回転操作する。操作ねじ３３が回転すると、押しばね３６に付勢されたラッチ部材３２が共回りし、押し当て部３２ｂが収容位置（図５Ａ）から受け溝３１に沿って移動し出入り開口２３から突出して、出入り開口２３の上下縁で回り止めされ、鍔部１１に対向する突出位置（図５Ｂ）に位置決めされる。さらに操作ねじ３３を回転操作すれば、回り止めされたラッチ部材３２が操作ねじ３３の軸上をフックケーシング２の鍔部１１に向かって相対移動し鍔部１１との間で壁板Ｐを挟持する（図５Ｃ）。これにより壁板Ｐの前面側からの作業のみでハンガーフック１を壁板Ｐに取り付けることができる。
【００１９】
例えば、コートをハンガーフック２に掛けるときには、一方の手でコートの後ろ襟付近を握り持ちつつ、その手の指をフック３の上端に掛けてフック３をフックケーシング２から引き起こす。フック３は、回転ダンパ６の制動により、ゆっくり倒伏するので、その間に、コートを握った片手でコートをフック３に掛けることができる。あるいは、直接コート等をフック３の先端に掛けながら、これを引き起こすことができる。
【００２０】
ハンガーフック１を壁板Ｐから取り外す場合には、フック３を起立させた状態で、前方からラッチ部材３２の操作ねじ３３を緩める方向に反転操作する。操作ねじ３３が反転して、ラッチ部材３２が操作ねじ３３上を壁板Ｐから離反すれば、押しばね３６に付勢されたラッチ部材３２が共回りするので、押し当て部３２ｂが受け溝３１に沿いつつ、格納位置まで回転して回り止め凸部４３により位置決めされる。これにより壁板Ｐの前面側からの作業のみでハンガーフック１を壁板Ｐから取り外すことができる。
【符号の説明】
【００２１】
１      ハンガーフック
２      フックケーシング
３      フック
４      水平回転軸
５      コイルばね（付勢手段）
６      回転ダンパ
７      回転軸
８      歯車
９      係合歯部
１０    嵌挿部
１１    鍔部
１２    包囲壁部
１４    ケーシング本体
１５    ケーシングカバー
１６    底板部
１７    側板部
１８    嵌合凹部
１９    ばね受け突起
２０    軸受け凹部
２１    収容凹部
２２    貫通孔
２３    出入り開口
２４    回り止め凸部
２５    対応側板部
２６    前面板部
２７    開口部
２８    終結端部
２９    軸受け凹部
３０    ねじ受け座部
３１    受け溝
３２    ラッチ部材
３２ａ  ナット部
３２ｂ  押し当て部
３３    操作ねじ
３４    押しばね
３５    キャップ
３６    枢支部
３７    側板部
３８    ばね受け突起
３９    ダンパケーシング
Ｐ      壁板
Ｐ１    取り付け開口
【要約】
【課題】  構造物自体に固定せず、内装壁等を構成する壁板に前側から確実に取り付けるハンガーフックを提供する。
【解決手段】  壁板Ｐに固定されるハンガーフック１のフックケーシング２は、壁板Ｐの取り付け開口Ｐ１に前後方向に嵌挿される嵌挿部１０と、この嵌挿部１０の前端部外周に形成され装着時に壁板Ｐの前面に当接する鍔部１１とを具備する。嵌挿部１０には、フックケーシング２の前面側から回転操作可能な操作ねじ３３を前後方向に挿入し、ラッチ部材３２を螺合させる。ラッチ部材３２は、嵌挿部１０の取り付け開口Ｐ１への挿入を妨げることなく嵌挿部１０に収容される一方、操作ねじ３３の９０°締め込み回転により嵌挿部１０の両側方へ突出し、さらに締め込み回転により嵌挿部１０に回り止めされて操作ねじ３３のねじ軸上前方に移動し、鍔部１１との間に壁板Ｐを挟持する。ラッチ部材３２は押しばね３４で付勢して操作ねじ３３との共回りさせる。
【選択図】図４【図１】
0006040291.tif 000002
【図２】
0006040291.tif 000003
【図３】
0006040291.tif 000004
【図４】
0006040291.tif 000005
【図５Ａ】
0006040291.tif 000006
【図５Ｂ】
0006040291.tif 000007
【図５Ｃ】
0006040291.tif 000008
【図６】
0006040291.tif 000009
【図７】
0006040291.tif 000010